(57)【要約】【課題】  妨害波が小さい時は受信感度や電流の良好な構成とし、妨害波が大きいときは、妨害波に強い構成とするという効果を有する移動体無線機用受信機を提供することにある。【解決手段】  受信総電力を測定する受信総電力測定手段と、希望するコードの電力のみを測定する希望波受信電力測定手段と、受信総電力測定手段と希望波受信電力測定手段の測定結果から妨害波抑圧を行うか否かの判定を行う判定部とを備える構成を有している。【選択図】図１
2006109183.tif 000002
【特許請求の範囲】
【請求項１】
受信総電力を測定する受信総電力測定手段と、
希望するコードの電力のみを測定する希望波受信電力測定手段と、
該受信総電力測定手段と該希望波受信電力測定手段の測定結果から妨害波抑圧を行うか否かの判定を行う判定部と、
を備えることを特徴とした移動体無線機用受信機。
【請求項２】
低雑音増幅器より前段に配置され、それぞれ決まった妨害波を抑圧する帯域除去フィルタが複数集まった帯域除去フィルタ部と、
該帯域除去フィルタ部におけるどの前記帯域除去フィルタを使用するかを選択する帯域除去フィルタ制御部と、
該帯域除去フィルタ制御部にてどの該帯域除去フィルタを選択するかの判断材料となる帯域除去フィルタテーブルを記憶する記憶手段と、
を備えることを特徴とした請求項１記載の移動体無線機用受信機。
【請求項３】
低雑音増幅器より前段に配置され、可変容量ダイオードを備えることにより、抑圧妨害波の周波数を可変可能な帯域除去フィルタと、
抑圧妨害波周波数可変のために可変容量ダイオードの容量変化を行うＶＣＣ制御部と、
該ＶＣＣ制御部にて電圧値を決定するためのＶＣＣテーブルを記憶する記憶手段と、
を備えることを特徴とした請求項１記載の移動体無線機用受信機。
【請求項４】
妨害波の影響を受ける場合に、低雑音増幅器の線形性を良好とすることにより、妨害波特性を改善できる最適なＶＣＣ電圧値に決定するＶＣＣ制御部と、
該ＶＣＣ制御部にて該低雑音増幅器のＶＣＣ電圧値を決定するためのＶＣＣテーブルを記憶する記憶手段と、
を備えることを特徴とした請求項１記載の移動体無線機用受信機。
【発明の詳細な説明】
【技術分野】
【０００１】
本発明は携帯電話等に用いられる移動体無線機用受信機に関するものである。
【背景技術】
【０００２】
従来の移動体無線機用受信機は、アンテナ（ＡＮＴ）、デュプレクサ（Ｄｕｐｌｅｘｅｒ）、低雑音増幅器（ＬＮＡ）、帯域通過フィルタ（ＢＰＦ）、復調部で構成されており、ＤｕｐｌｅｘｅｒとＢＰＦと復調部の低域通過フィルタ（ＬＰＦ）により、希望波以外の妨害波を抑圧している。また、妨害波特性を良好とすることを目的に、例えば特許文献１のように、復調部のＬＰＦを多段にする構成が知られている。他にも、特許文献２のようにＡＮＴのすぐ後ろにフィルタを２段配置する構成が知られている。
【特許文献１】国際公開第００／５１２５１号パンフレット（第３０頁、第１２図）
【特許文献２】特開平１１−７４８１９号公報（第４頁、第１図）
【発明の開示】
【発明が解決しようとする課題】
【０００３】
従来の移動体無線機用受信機においては、ＬＮＡにて妨害波同士の歪みが原因で発生する希望波と同周波数の妨害波を、Ｄｕｐｌｅｘｅｒで減衰するしかなかった。しかしながら、妨害波全てを減衰できるＤｕｐｌｅｘｅｒとすると希望波帯域のロスが大きくなり、受信機の基本性能劣化に繋がる。ＬＮＡより前段にフィルタ２段としても同様である。
【０００４】
本発明は、従来の問題を解決するためになされたもので、Ｄｕｐｌｅｘｅｒの希望波帯域ロスを大きくすることなく、妨害波特性を良好とすることのできる移動体無線機用受信機を提供することを目的とする。
【課題を解決するための手段】
【０００５】
本発明の移動体無線機用受信機は、受信総電力を測定する受信総電力測定手段と、希望するコードの電力のみを測定する希望波受信電力測定手段と、受信総電力測定手段と希望波受信電力測定手段の測定結果から妨害波抑圧を行うか否かの判定を行う判定部とを備える構成を有している。
この構成によれば、測定した受信総電力と希望波受信電力とを比較することにより、受信感度劣化した場合の原因が推定できる。
【０００６】
また、本発明の移動体無線機用受信機は、低雑音増幅器より前段に配置され、それぞれ決まった妨害波を抑圧する帯域除去フィルタが複数集まった帯域除去フィルタ部と、帯域除去フィルタ部におけるどの帯域除去フィルタを使用するかを選択する帯域除去フィルタ制御部と、帯域除去フィルタ制御部にてどの帯域除去フィルタを選択するかの判断材料となる帯域除去フィルタテーブルを記憶する記憶手段とを備える構成を有している。
この構成によれば、ＬＮＡより前段にＢＥＦを配置することにより、ＬＮＡによって妨害波同士で希望波帯域に生じる妨害波を防ぐことができる。
【０００７】
さらに、本発明の移動体無線機用受信機は、低雑音増幅器より前段に配置され、可変容量ダイオードを備えることにより、抑圧妨害波の周波数を可変可能な帯域除去フィルタと、抑圧妨害波周波数可変のために可変容量ダイオードの容量変化を行うＶＣＣ制御部と、ＶＣＣ制御部にて電圧値を決定するためのＶＣＣテーブルを記憶する記憶手段とを備える構成を有している。
この構成によれば、妨害波抑圧のためのＢＥＦに可変容量ダイオードを用いることにより、一つのＢＥＦで複数の妨害波抑圧を可能とする。
【０００８】
さらに、本発明の移動体無線機用受信機は、妨害波の影響を受ける場合に、低雑音増幅器の線形性を良好とすることにより、妨害波特性を改善できる最適なＶＣＣ電圧値に決定するＶＣＣ制御部と、ＶＣＣ制御部にて低雑音増幅器のＶＣＣ電圧値を決定するためのＶＣＣテーブルを記憶する記憶手段とを備える構成を有している。
この構成によれば、妨害波によってＬＮＡの線形性が悪化したときのみＶＣＣ電圧を必要な電圧にすることにより、普段は低消費電流であるが妨害波が大きい時のみ消費電流を増やし、妨害波に強くすることができる。
【発明の効果】
【０００９】
本発明は、受信総電力を測定する受信総電力測定手段と、希望するコードの電力のみを測定する希望波受信電力測定手段と、受信総電力測定手段と希望波受信電力測定手段の測定結果から妨害波抑圧を行うか否かの判定を行う判定部とを備えることにより、妨害波が小さい時は受信感度や電流の良好な構成とし、妨害波が大きいときは、妨害波に強い構成とするという効果を有する移動体無線機用受信機を提供することができるものである。
【発明を実施するための最良の形態】
【００１０】
以下、本発明の実施の形態の移動体無線機用受信機について、図面を用いて説明する。
【実施例１】
【００１１】
本発明の第１の実施の形態の移動体無線機用受信機を図１に示す。図１において、移動体無線機用受信機は、アンテナ（ＡＮＴ）１と、デュプレクサ（Ｄｕｐｌｅｘｅｒ）２と、帯域除去フィルタ（ＢＥＦ）部３と、低雑音増幅器（ＬＮＡ）４と、帯域通過フィルタ（ＢＰＦ）５と、復調部６と、受信総電力測定手段７と、希望波受信電力測定手段８と、判定部９と、帯域除去フィルタ（ＢＥＦ）制御部１０と、帯域除去フィルタ（ＢＥＦ）テーブル１１とから構成されている。尚、ＢＥＦテーブル１１は、実際にはＢＥＦテーブルに示す値を記憶する記憶手段である。ＡＮＴ１が接続されたＤｕｐｌｅｘｅｒ２とＬＮＡ４との間に、複数のＢＥＦを有するＢＥＦ部３が設けられている。このＢＥＦ部３は、ＢＥＦ制御部１０で制御され使用するＢＥＦが選択される。ＬＮＡ４の後段の復調部６の後段には、受信総電力測定手段７及び希望波受信電力測定手段８が並列して設けられ、受信総電力測定手段７と希望波受信電力測定手段８の測定結果から妨害波抑圧を行うか否かの判定を行う判定部９が設けられている。
【００１２】
以上のように構成された移動体無線機用受信機について、図１を用いてその動作を説明する。まず、ＡＮＴ１によって受信した妨害波は、Ｄｕｐｌｅｘｅｒ２を介し、ＢＥＦ部３に入力する。通常状態では、ＢＥＦ部３はＢＥＦが選択されていないため、妨害波は減衰されることなくＬＮＡ４に入力する。ここで、妨害波が２波だった場合を考える。例えば１波は自分の送信波で、もう１波はＡＮＴ１にて受信する妨害波が考えられる。この２波の妨害波の２次歪み、３次歪みが受信希望波と同一周波数となることがある。この時、ＬＮＡ４出力に発生する受信希望波と同一周波数の妨害波は、後段のＢＰＦ５や復調部６にあるＬＰＦでは抑圧できないため、受信感度劣化に繋がる。従って、このような妨害波は、ＬＮＡ４に入力される前に抑圧する必要がある。単純に回路が増加しないようＤｕｐｌｅｘｅｒ２にて抑圧する手段が考えられるが、想定される妨害波全ての所要減衰量を割り当てると希望波帯域のロスが大きくなり、妨害波の無い通常状態での受信感度が悪くなる。
【００１３】
そこで、本発明では、受信総電力測定手段７にて、妨害波を含めた受信総電力を測定し、希望波受信電力測定手段８にて、希望する受信コードの電力のみを測定し、判定部９によりその差分がある一定の閾値以上である場合のみＬＮＡ４前段にあるＢＥＦ部３にて妨害波を抑圧する構成とした。ＢＥＦ部３は、複数の妨害波それぞれの周波数に対応するよう複数のＢＥＦを用意する。図１では簡単のためＢＥＦは２つとしてある。どのＢＥＦを選択するかは、ＢＥＦテーブル１１に従ってＢＥＦ制御部１０が選択し、選択したＢＥＦに係るＶＣＣに電圧を印加する。これにより、選択されたＢＥＦのＰＩＮダイオードが導通され、ＢＥＦがＯＮとなり妨害波を抑圧する。ここで、ＰＩＮダイオードはＭＥＳＦＥＴ等他のデバイスに変えても良いものとする。
【００１４】
次に、ＢＥＦ選択について詳しく説明する。本発明の第１の実施の形態のＢＥＦテーブル１１を表１に示す。表１において、ＢＥＦテーブル１１は優先順位と、選択ＢＥＦ（抑圧妨害波）と、選択ＶＣＣとを有する構成である。
【００１５】
【表１】
2006109183.tif 000003
【００１６】
以上のように構成されたＢＥＦテーブル１１において、劣化が予想される妨害波について、あらかじめ順位を付け、優先順位の高い順に並べる。選択ＶＣＣには選択ＢＥＦ（抑圧妨害波）に対応するＶＣＣを入れる。ここでＢＥＦ選択の制御は、妨害波による劣化が無くなるまで優先順位の高い順に選択し、妨害波による劣化が無くなった状態にて選択ＢＥＦを保持することとする。
【００１７】
このような本発明の第１の実施の形態の移動体無線機用受信機の構成によれば、測定した受信総電力と希望波受信電力とを比較することにより、受信感度劣化した場合の原因が推定できる。例えば、受信総電力と希望波受信電力の両方が小さくなった時は、基地局から遠くなった等電波環境が悪化したと推定でき、希望波受信電力に対して受信総電力が大きくなった時は、受信妨害波が大きくなったと推定できる。この受信総電力と希望波受信電力の比をある一定値を閾値とし、妨害波抑圧を行うか否かの制御を行うことにより、妨害波が小さい時は受信感度や消費電流の良好な構成とし、妨害波が大きいときは、妨害波に強い構成とすることができる。
【００１８】
また、妨害波抑圧の手段としてＢＥＦを使用することにより、妨害波が大きい時の妨害波に強く、且つ可能な限り希望波帯域のロスを小さくすることができる。例えば、ＢＥＦを用いることで、悪影響を与えている妨害波のみを減衰し、妨害波が大きい時でも可能な限り希望波帯域のロスを小さくすることができる。
【００１９】
以上のように、受信総電力を測定する受信総電力測定手段７と、希望するコードの電力のみを測定する希望波受信電力測定手段８と、受信総電力測定手段７と希望波受信電力測定手段８の測定結果から妨害波抑圧を行うか否かの判定を行う判定部９と、受信妨害波を抑圧するＢＥＦ部３と、ＢＥＦ部３のＢＥＦを選択するＢＥＦ制御部１０と、ＢＥＦ制御部１０がＢＥＦを選択する判断材料となるＢＥＦテーブル１１を設けることにより、妨害波が小さい時は受信感度が良好な構成とし、妨害波が大きいときは、最適なＢＥＦを選択し妨害波に強い構成とすることができる。
【実施例２】
【００２０】
次に、本発明の第２の実施の形態の移動体無線機用受信機を図２に示す。図２において、移動体無線機用受信機は、ＡＮＴ１と、Ｄｕｐｌｅｘｅｒ２と、可変容量ダイオード１６を備えたＢＥＦ部１５と、ＬＮＡ４と、ＢＰＦ５と、復調部６と、受信総電力測定手段７と、希望波受信電力測定手段８と、判定部９と、ＶＣＣ制御部１７と、ＶＣＣテーブル１８とから構成されている。尚、ＶＣＣテーブル１８は、実際にはＶＣＣテーブルに示す値を記憶する記憶手段である。ＡＮＴ１が接続されたＤｕｐｌｅｘｅｒ２とＬＮＡ４との間に、複数のＢＥＦを有するＢＥＦ部１５が設けられている。このＢＥＦ部１５は、ＶＣＣ制御部１７でＶＣＣが制御される。ＬＮＡ４の後段の復調部６の後段には、受信総電力測定手段７及び希望波受信電力測定手段８が並列して設けられ、受信総電力測定手段７と希望波受信電力測定手段８の測定結果から妨害波抑圧を行うか否かの判定を行う判定部９が設けられている。
【００２１】
以上のように構成された移動体無線機用受信機について、図２を用いてその動作を説明する。ＢＥＦ部１５は、実施例１と同様に、ＬＮＡ４に２波の妨害波が入力し、２次歪み、３次歪みが受信希望波と同一周波数となるのを防ぐために、ＬＮＡ４に入力される前に抑圧するものである。第１の実施の形態との違いは、ＢＥＦ部１５は可変容量ダイオード１６を備えた構成となっていることである。この可変容量ダイオード１６により、ＢＥＦを複数用意しなくてもＶＣＣ４電圧を可変すれば、ＢＥＦの抑圧する周波数を変えることができ、複数の妨害波に対応することができる。ＶＣＣ４電圧の可変は、ＶＣＣテーブル１８に従って、ＶＣＣ制御部１７により行われる。また、ＢＥＦ部１５をＯＮする方法は、ＶＣＣ制御部１７がＶＣＣ３に電圧を印加することによりＰＩＮダイオード（ＰＩＮ−Ｄ３）を導通することである。ＢＥＦ部１５をＯＮするかしないかの判定方法は、実施例１と同様である。ここで、ＰＩＮダイオードはＭＥＳＦＥＴ等他のデバイスに変えても良いものとする。
【００２２】
次に、ＶＣＣ制御について詳しく説明する。本発明の第２の実施の形態のＶＣＣテーブル１８を表２に示す。表２において、ＶＣＣテーブル１８は優先順位と、妨害周波数と、ＶＣＣ４電圧値とを有する構成である。
【００２３】
【表２】
2006109183.tif 000004
【００２４】
以上のように構成されたＶＣＣテーブル１８において、劣化が予想される妨害波周波数について、あらかじめ順位を付け、優先順位の高い順に並べる。ＶＣＣ４電圧値には妨害波周波数に対応するＶＣＣ４電圧値を入れる。ここでＢＥＦ周波数の制御は、妨害波による劣化が無くなるまで優先順位の高い順に選択し、妨害波による劣化が無くなった状態にてＢＥＦ周波数を保持することとする。
【００２５】
以上のように本発明の第２の実施の形態の移動体無線機用受信機によれば、受信総電力を測定する受信総電力測定手段７と、希望するコードの電力のみを測定する希望波受信電力測定手段８と、受信総電力測定手段７と希望波受信電力測定手段８の測定結果から妨害波抑圧を行うか否かの判定を行う判定部９と、受信妨害波を抑圧するＢＥＦ部１５と、ＢＥＦ部１５の構成要素でありＢＥＦ周波数を可変することができる可変容量ダイオード１６と、可変容量ダイオード１６の周波数を制御するＶＣＣ制御部１７と、ＶＣＣ制御部１７がＶＣＣ４電圧値制御する判断材料となるＶＣＣテーブル１８を設けることにより、妨害波が小さい時は受信感度が良好な構成とし、妨害波が大きいときは、ＢＥＦを最適な周波数とし妨害波に強い構成とすることができる。
【実施例３】
【００２６】
次に、本発明の第３の実施の形態の移動体無線機用受信機を図３に示す。図３において、移動体無線機用受信機は、ＡＮＴ１と、Ｄｕｐｌｅｘｅｒ２と、ＬＮＡ４と、ＢＰＦ５と、復調部６と、受信総電力測定手段７と、希望波受信電力測定手段８と、判定部９と、ＶＣＣ制御部２２と、ＶＣＣテーブル２３とから構成されている。尚、ＶＣＣテーブル２３は、実際にはＶＣＣテーブルに示す値を記憶する記憶手段である。ＡＮＴ１が接続されたＤｕｐｌｅｘｅｒ２の後段には、ＶＣＣ制御部２２によりＶＣＣが制御されたＬＮＡ４が設けられている。ＬＮＡ４の後段の復調部６の後段には、受信総電力測定手段７及び希望波受信電力測定手段８が並列して設けられ、受信総電力測定手段７と希望波受信電力測定手段８の測定結果から妨害波抑圧を行うか否かの判定を行う判定部９が設けられている。
【００２７】
以上のように構成された移動体無線機用受信機について、図３を用いてその動作を説明する。ＬＮＡ４は、妨害波によって線形性が悪くなった時のみＶＣＣ５電圧値を高くし、線形性を改善する構成とする。ＶＣＣ５の電圧値は、ＶＣＣテーブル２３に従ってＶＣＣ制御部２２によって制御される。また、妨害波による受信感度の劣化があるか無いかの判定方法は、実施例１と同様である。
【００２８】
次に、ＶＣＣ制御について詳しく説明する。本発明の第３の実施の形態のＶＣＣテーブル２３を表３に示す。表３において、ＶＣＣテーブル２３は（受信総電力）−（希望波受信電力）と、ＶＣＣ５電圧値とを有する構成である。
【００２９】
【表３】
2006109183.tif 000005
【００３０】
以上のように構成されたＶＣＣテーブル２３において、（受信総電力）−（希望波受信電力）の値に適したＶＣＣ５の値を、あらかじめＶＣＣ５電圧値に入れておく。これに従ってＶＣＣ制御部２２がＶＣＣ５の電圧値を制御することにより、常に最適な線形性を保つことができる。
【００３１】
以上のように本発明の第３の実施の形態の移動体無線機用受信機によれば、受信総電力を測定する受信総電力測定手段７と、希望するコードの電力のみを測定する希望波受信電力測定手段８と、受信総電力測定手段７と希望波受信電力測定手段８の測定結果から妨害波抑圧を行うか否かの判定を行う判定部９と、ＶＣＣ５を可変することにより線形性を可変できるＬＮＡ４と、ＶＣＣ５電圧値を制御するＶＣＣ制御部２２と、ＶＣＣ制御部２２がＶＣＣ５電圧値制御する判断材料となるＶＣＣテーブル２３を設けることにより、妨害波が小さい時は受信感度が良好な構成とし、妨害波が大きいときは、ＬＮＡ４のＶＣＣ５電圧値を最適値とし妨害波に強い構成とすることができる。
【００３２】
なお、以上の実施例１及び実施例２の説明では、ＢＥＦ部３とＢＥＦ部１５をＤｕｐｌｅｘｅｒ２の後段で構成した例について説明したが、Ｄｕｐｌｅｘｅｒ２の前段で構成しても同様に実施可能である。また、ＢＥＦについては、Ｌ、Ｃ、１段で構成した例について説明したが、多段としても、アクティブフィルタとしても同様に実施可能である。
【産業上の利用可能性】
【００３３】
以上のように、本発明にかかる移動体無線機用受信機は、受信総電力を測定する受信総電力測定手段と、希望するコードの電力のみを測定する希望波受信電力測定手段と、前記受信総電力測定手段と前記希望波受信電力測定手段の測定結果から妨害波抑圧を行うか否かの判定を行う判定部と、妨害波を抑圧する手段と、を設けることにより、妨害波が小さい時は受信感度や電流の良好な構成とし、妨害波が大きいときは、妨害波に強い構成とするという効果を有し、携帯電話等移動体無線機に用いられる、受信機の妨害波抑圧方法等として有用である。
【図面の簡単な説明】
【００３４】
【図１】本発明の第１の実施の形態における移動体無線機用受信機のブロック図
【図２】本発明の第２の実施の形態における移動体無線機用受信機のブロック図
【図３】本発明の第３の実施の形態における移動体無線機用受信機のブロック図
【符号の説明】
【００３５】
１  ＡＮＴ
２  Ｄｕｐｌｅｘｅｒ
３、１５  ＢＥＦ部
４  ＬＮＡ
５  ＢＰＦ
６  復調部
７  受信総電力測定手段
８  希望波受信電力測定手段
９  判定部
１０  ＢＥＦ制御部
１１  ＢＥＦテーブル
１６  可変容量ダイオード
１７、２２  ＶＣＣ制御部
１８、２３  ＶＣＣテーブル
Ｃ１、Ｃ２、Ｃ３、Ｃ４、Ｃ５  コンデンサ
Ｌ１  コイル
ＰＩＮ−Ｄ１、ＰＩＮ−Ｄ２、ＰＩＮ−Ｄ３  ＰＩＮダイオード
ＢＥＦ１、ＢＥＦ２  帯域除去フィルタ
【図１】
2006109183.tif 000006
【図２】
2006109183.tif 000007
【図３】
2006109183.tif 000008